(57)【要約】【課題】床面の沈み込みを防いで良好な歩行感を有するとともに、防音性、特に衝撃音に対してすぐれた防音性を発揮する防音床構造を提供する。【解決手段】床基材４と床躯体５との間に板バネ１を介装してなる防音床構造であって、該板バネ１は板バネ本体１１と上端が床基材４の裏面に固定される固定端１２と下端が床躯体４側の面にスライド自在に圧接される圧接端１３とされ、該床基材４に下向きに荷重がかかったとき、最初は上記板バネ本体１１が弾性変形して荷重を受け、更に大きな荷重が床基材４に加わったとき、上記圧接端１３が床躯体５側の面を摩擦移動して荷重を受けるようにされた防音床構造Ａ。【選択図】図２
2009287169.tif 000002
【特許請求の範囲】
【請求項１】
床基材と床躯体との間に板バネを介装してなる防音床構造であって、該板バネは板バネ本体と上端が床基材の裏面に固定される固定端と下端が床躯体側の面にスライド自在に圧接される圧接端とされ、該床基材に下向きに荷重がかかったとき、最初は上記板バネ本体が弾性変形して荷重を受け、更に大きな荷重が床基材に加わったとき、上記圧接端が床躯体側の面を摩擦移動して荷重を受けるようにされた防音床構造。
【請求項２】
上記板バネが床基材の裏面に固定される固定端と床躯体側の面にスライド自在に圧接される圧接端とをおのおの１個有してなる請求項１に記載の防音床構造。
【請求項３】
上記板バネが床基材の裏面に固定される固定端を１個有し、床躯体側の面にスライド自在に圧接される圧接端を２個有してなる請求項１に記載の防音床構造。
【請求項４】
上記板バネが床基材の裏面に固定される固定端に加えて、該床基材の裏面にスライド自在に圧接する圧接端を有するとともに、上記床躯体側の面にスライド自在に圧接される圧接端に加えて、該床躯体面に固定される固定端を有してなる請求項１に記載の防音床構造。
【発明の詳細な説明】
【技術分野】
【０００１】
本願発明は、床構造に関し、戸建住宅や集合住宅、ホール、会館等の建物の床に施工される防音構造に関するものである。
【背景技術】
【０００２】
近年、生活の洋風化が進むとともに、リビングルームに床材を敷いてフローリングを施すことが一般化している。通常、フローリング用の床材としては表層側から順に、表面化粧材、基材および緩衝材からなるものが用いられ、緩衝材としては、発泡ポリウレタン等の発泡樹脂、不織布やＳＢＲ、ＮＢＲまたは天然ゴム等から構成された均質なクッション性のあるシートが用いられることが多い。上記均質シートは歩行感をよくするため、クッション性を保つための配慮はされているが、防音性という観点からは、音が伝わり易く十分なものとはいえない。
【０００３】
一方、近年、マンション等集合住宅においては、一部を除いてほとんどの部屋が上記のように構成された床材でフローリングされているため、生活上発生する騒音を巡る問題が増えつつある。上記した生活騒音問題の大部分は階上の住民がたてる足音、椅子を引きずって移動するときの摩擦音、物を落とした時の衝撃音、こどもが飛び跳ねる音等が原因となっており、中には深刻なトラブルとなるケースもある。
【０００４】
そこで、床材に種々の防音性能を付与した防音床材が提案されている。例えば、特開平７−１６６６８３号公報には、複数枚のピース板をクッション材上に並べて一体化した防音床材において、クッション材の下面に凸部を碁盤目状に並べて突設して下面を凹凸形状にして成り、ここで各凸部をピラミッド型にして頂部を尖らせてなる防音床材が提案されている。
【０００５】
そして、上記防音床材は、クッション材の下面に凸部を碁盤目状に並べて突設して下面を凹凸形状にしてあるので、防音床材を床下地に敷いたときクッション材の凸部だけが部分的に接触し、床下地に音が伝わりにくくなるため、防音性能を向上できるとの効果が記載されている。さらに、各凸部をピラミッド型にして頂部を尖らせているので、一層床下地への接触が少なくなり、床下地に音が伝わりにくくなるため、防音性能を向上できるとの効果も記載されている。
【０００６】
また、特開平１１−２４１４９０号公報には、緩衝材を含む複数の材料層を表裏方向に積層することによって形成された防音床材であって、前記緩衝材が発泡樹脂の多数の細片と、この発泡樹脂と密度が異なる他の材料の多数の細片とを混合し、圧縮固化した材料で構成され、前記他の材料が、前記発泡樹脂よりも高い密度を有していることを特徴とする防音床材が開示されている。
【０００７】
そして、この防音床材では、緩衝材の中に低密度の発泡樹脂の細片と高密度の発泡樹脂の細片が多数混在して緩衝材の密度が不均一になるので、化粧材および基材を介して緩衝材に伝搬した音のエネルギーは、緩衝材を通る際の密度の変化によって大きく減衰される。したがって、十分な防音効果を得ることができるとともに、低密度および高密度の発泡樹脂が混在していることにより緩衝材全体の密度がそれらの平均的な値となるので、柔らかすぎない良好な歩行感を得ることができる、とその効果が記載されている。
【特許文献１】特開平７−１６６６８３号公報
【特許文献２】特開平１１−２４１４９０号公報
【発明の開示】
【発明が解決しようとする課題】
【０００８】
しかしながら、上記特許文献１に記載の技術は、基材の上に表面材を積層して形成されたピース板の裏面側に凹溝が設けられているため、上記基材として通常用いられる合板の裏面に凹溝を形成する工程が必要であり、コスト的に有利に該防音床材を得ることができないという問題がある。
【０００９】
また、上記特許文献２に記載の防音床材は、発泡樹脂の多数の細片と、この発泡樹脂と密度が異なる他の材料の多数の細片とを混合してなる緩衝材を含む複数の材料層を表裏方向に積層することによって形成されているため、この発泡樹脂と密度が異なる他の材料の多数の細片との混合比の調節、ついで、積層と複雑な工程を経なければならないという問題がある。
【００１０】
本願発明は、上記背景技術に鑑みてなしたものであり、その目的は、過度なクッション性により床面の沈み込みを防ぎ、良好な歩行感を有するとともに、防音性、特に衝撃音に対して優れた防音性を発揮する防音床構造を提供することである。
【課題を解決するための手段】
【００１１】
上記課題を解決するために、本願請求項１記載の発明に係る防音床構造は、床基材と床躯体との間に板バネを介装してなる防音床構造であって、該板バネは板バネ本体と上端が床基材の裏面に固定される固定端と下端が床躯体側の面にスライド自在に圧接される圧接端とされ、該床基材に下向きに荷重がかかったとき、最初は上記板バネ本体が弾性変形して荷重を受け、更に大きな荷重が床基材に加わったとき、上記圧接端が床躯体側の面を摩擦移動して荷重を受けるようにされたことを特徴としている。
【００１２】
上記床基材としては、化粧合板、ＭＤＦ（中密度繊維板）、ＷＰＢ（ウッドプラスチックボード）、集積材等、比較的高い剛性を有する材料が用いられる。また、板バネとしては、金属製またはプラスチック製のものが用いられる。
【００１３】
本願請求項２記載の発明に係る防音床構造は、上記請求項１記載の発明において、上記板バネが床基材の裏面に固定される固定端と床躯体側の面にスライド自在に圧接される圧接端とをおのおの１個有してなることを特徴としている。
【００１４】
本願請求項３記載の発明に係る防音床構造は、上記請求項１記載の発明において、上記板バネが床基材の裏面に固定される固定端を１個有し、床躯体側の面にスライド自在に圧接される圧接端を２個有してなることを特徴としている。
【００１５】
本願請求項４記載の発明に係る防音床構造は、上記請求項１記載の発明において、上記板バネが床基材の裏面に固定される固定端に加えて、該床基材の裏面にスライド自在に圧接する圧接端を有するとともに、上記床躯体側の面にスライド自在に圧接される圧接端に加えて、該床躯体面に固定される固定端を有してなることを特徴としている。
【発明の効果】
【００１６】
本願請求項１記載の発明に係る防音床構造においては、床基材と床躯体との間に、板バネ本体と上端が床基材の裏面に固定される固定端と下端が床躯体側の面にスライド自在に圧接される圧接端とからなる板バネが介装されてなるため、該床基材に下向きに荷重がかかったときは、最初は上記板バネ本体が弾性変形して板バネ本体がたわむため、軽い衝撃により音が発生する場合は、防音するとともに、クッション性を保つことができる。
【００１７】
更に大きな荷重が床基材に加わったときは、上記圧接端が床躯体側の面を摩擦移動し、摩擦移動するときの抵抗によって大きな荷重による衝撃エネルギーを吸収するため、階下への音の伝播を防ぐとともに、過度な沈み込みがなく、ふわふわした感じがない良好な歩行感を得ることができる。
【００１８】
本願請求項２記載の発明に係る防音床構造においては、特に、上記板バネが床基材の裏面に固定される固定端と床躯体側の面にスライド自在に圧接される圧接端とをおのおの１個有してなるため、簡単な構造で良好な歩行感を有するとともに、防音性、特に衝撃音に対して優れた効果を発揮する防音床構造とすることができる。
【００１９】
本願請求項３記載の発明に係る防音床構造においては、特に、上記板バネが床基材の裏面に固定される固定端を１個有し、床躯体側の面にスライド自在に圧接される圧接端を２個有してなり、１個の固定端から２個の板バネ本体が延設された形態となるため、該床基材に下向きに荷重がかかったときは２個の板バネ本体が弾性変形してたわみ、軽い衝撃をクッション性よく受けて防音するとともに、良好な歩行感を保つことができる。
【００２０】
本願請求項４記載の発明に係る防音床構造においては、特に、上記板バネが床基材の裏面に固定される固定端と該床基材の裏面に圧接する圧接端とを有し、また、上記床躯体側の面に圧接される圧接端と該床躯体面に固定される固定端とを有してなるため、該床基材に下向きに荷重がかかったときは、上記板バネが更にクッション性よく衝撃を受けて防音するとともに、良好な歩行感を保つことができる。
【発明を実施するための最良の形態】
【００２１】
以下、本願発明にかかる防音床構造の実施形態について、図面を参照して詳細に説明する。なお、本実施形態においては、板バネとして金属製のものを用いた例について述べる。図１は上記防音床構造Ａの構成を示す部分断面斜視図であり、図２はその要部を示す横断面図である。
【００２２】
図１、図２に示すように、上記防音床構造Ａは、突き板等で表面化粧された化粧合板からなる床基材４とコンクリートスラブ等からなる床躯体５との間に第１実施形態に係る板バネ１を介装してなり、上記板バネ１は、板バネ本体１１と上端が床基材４の裏面に固定される固定端１２と下端が床躯体５側の面にスライド自在に圧接される圧接端１３とから形成されている。図１、図２に示すように、上記板バネ１の下端は折り返してフック状とされ、床躯体５側の面にスライド自在に圧接される圧接端１３とされている。
【００２３】
図３（イ）、（ロ）は、上記床基材４に白抜き矢印で示すように、下向きの荷重がかかったときの第１実施形態に係る板バネ１の作用機構を示す説明図である。図３（イ）に示すように、大人が歩いたり、こどもが走り回ったりするときや、食器を落としたとき等、軽い衝撃により音が発生する場合は、図３（イ）に示すように、上記板バネ本体１１は点線で示す位置から実線で示す位置まで弾性変形してたわみ、衝撃力を減殺してクッション性よく衝撃を吸収し、防音する。
【００２４】
そして、階上でのＴＶの音声、こどもの泣き声等の生活音は遮音され、例えば、大人が歩いたとき、足音が階下に伝播しないように防音するとともに、板バネ１の有するクッション性により良好な歩行感を得ることができる。
【００２５】
図３（ロ）は、上記床基材４に白抜き矢印で示すように、下向きに更に大きな荷重がかかったときの防音床構造Ａの作用機構を示す説明図である。例えば、家具を移動したり、重量物を配置したとき、あるいは体重のある大人が歩いたとき等には、板バネ１は最初は上記したように弾性変形し、たわんで荷重を受ける。
【００２６】
そして、更に荷重が加わると、板バネ１の圧接端１３が床躯体５側の面上で点線で示す位置から実線で示す位置まで摩擦移動する。ここで、摩擦移動するときの抵抗によって、上記した大きな荷重による衝撃エネルギーを吸収することができるため、過度な沈み込みがなく、ふわふわした感じがない良好な歩行感を得ることができる。
【００２７】
図４は、第２実施形態に係る板バネ２を床基材４と床躯体５との間に介装した本願発明に係る防音床構造Ａの要部を示す縦断面図であり、床基材４の裏面に固定される固定端が１個であり、床躯体側の面にスライド自在に圧接される圧接端が２個である形態が示されている。図４に示すように、上記板バネ２は、床基材４の裏面に固定される固定端２２と２個の板バネ本体２１ａ、２１ｂと板バネ本体２１ａ、２１ｂのそれぞれ下端を折り返してフック状とし、床躯体５側の面にスライド自在に圧接される圧接端２３ａ、２３ｂとから構成されている。
【００２８】
図５（イ）、（ロ）は、上記床基材４に下向きの荷重がかかったときの第２実施形態に係る板バネ２の作用機構を示す説明図である。図５（イ）に示すように、大人が歩いたり、こどもが走り回ったりするときや、食器を落としたとき等、軽い衝撃により音が発生する場合は、上記板バネ本体２１ａ、２１ｂは点線で示す位置から実線で示す位置まで弾性変形してたわみ、衝撃力を減殺してクッション性よく衝撃を吸収し、防音する。
【００２９】
そして、階上でのＴＶの音声、こどもの泣き声等の生活音は遮音され、例えば、大人が歩いたとき、足音が階下に伝播しないように防音するとともに、板バネ２の有するクッション性により良好な歩行感を得ることができる。
【００３０】
図５（ロ）は、上記床基材４に下向きに更に大きな荷重がかかったときの防音床構造Ａの作用機構を示す説明図である。例えば、家具を移動したり、重量物を配置したとき、あるいは体重の重い大人が歩いたとき等には、板バネ２は、最初は上記したように弾性変形し、たわんで荷重を受ける。そして、更に荷重が加わると、板バネ２の圧接端２３ａ、２３ｂが床躯体５側の面上で、点線で示す位置から実線で示す位置まで摩擦移動する。ここで、摩擦移動するときの抵抗によって大きな荷重による衝撃エネルギーを吸収することができるため、過度な沈み込みがなく、ふわふわした感じがない良好な歩行感を得ることができる。
【００３１】
図６は、第３実施形態に係る板バネ３を床基材４と床躯体５との間に介装した本願発明に係る防音床構造Ａの要部を示す縦断面図である。上記板バネ３は、板バネ本体３１と、この板バネ本体３１におのおの結合される固定端３２ａ、３２ｂと圧接端３３ａ、３３ｂとから形成されている。ここで、上記床基材４の裏面には固定端３２ａが固定され、圧接端３３ａがスライド自在に圧接されるとともに、上記床躯体５側の面には固定端３２ｂが固定され、圧接端３３ｂがスライド自在に圧接されている。
【００３２】
図７（イ）、（ロ）は、上記床基材４に下向きの荷重がかかったときの第３実施形態に係る板バネ３の作用機構を示す説明図である。図７（イ）に示すように、大人が歩いたり、こどもが走り回ったりするときや、食器を落としたとき等、軽い衝撃により音が発生する場合は、上記板バネ本体３１は点線で示す位置から実線で示す位置まで弾性変形してたわみ、衝撃力を減殺してクッション性よく衝撃を吸収し、防音する。
【００３３】
図７（ロ）は、上記床基材４に下向きに更に大きな荷重がかかったときの防音床構造Ａの作用機構を示す説明図である。例えば、家具を移動したり、重量物を配置したとき、あるいは体重の重い大人が歩いたとき等には、板バネ３は、最初は上記したように弾性変形し、たわんで荷重を受ける。そして、更に荷重が加わると、板バネ３の圧接端３３ａは床基材４の裏面を点線で示す位置から実線で示す位置まで摩擦移動し、圧接端３３ｂは床躯体５側の面上で、点線で示す位置から実線で示す位置まで摩擦移動する。ここで、摩擦移動するときの抵抗によって２１大きな荷重による衝撃エネルギーを吸収することができるため、過度な沈み込みがなく、ふわふわした感じがない良好な歩行感を得ることができる。
【００３４】
上記した第３実施形態に係る板バネ３については、板バネ本体３１が一体的に形成された形態を述べたが、図６において、圧接端３３ａと固定端３２ｂとを含む側面視略逆「く」の字形の板バネ３と、固定端３２ａと圧接端３３ｂとを含む側面視略「く」の字形の板バネ３とを背中合わせに当接し、一体的に用いてもよい。
【００３５】
なお、第１、２、３実施形態に係る板バネ１、２、３の厚さは求められる衝撃音遮音の程度に応じて適宜変更可能であり、また、いずれの圧接端においても凹凸を設け、摩擦抵抗を大きくするようにしてもよい。このように本願発明は設計変更自在であり、特許請求の範囲を逸脱しない限り本願発明の技術的範囲に属する。
【図面の簡単な説明】
【００３６】
【図１】本願発明に係る防音床構造の構成を示す部分断面斜視図。
【図２】本願発明に係る防音床構造の要部を示す縦断面図。
【図３】（イ）、（ロ）は第１実施形態に係る板バネの作用機構を示す説明図。
【図４】第２実施形態に係る板バネを用いたときの防音床構造の要部を示す縦断面図。
【図５】（イ）、（ロ）は第２実施形態に係る板バネの作用機構を示す説明図。
【図６】第３実施形態に係る板バネを用いたときの防音床構造の要部を示す縦断面図。
【図７】（イ）、（ロ）は第３実施形態に係る板バネの作用機構を示す説明図。
【符号の説明】
【００３７】
Ａ      本願発明に係る防音床構造
１      第１実施形態に係る板バネ
１１    板バネ本体
１２    固定端
１３    圧接端
２      第２実施形態に係る板バネ
２１ａ  板バネ本体
２１ｂ  板バネ本体
２２    固定端
２３ａ  圧接端
２３ｂ  圧接端
３      第３実施形態に係る板バネ
３１    板バネ本体
３２ａ  固定端
３２ｂ  固定端
３３ａ  圧接端
３３ｂ  圧接端
４      床基材
５      床躯体
【図１】
2009287169.tif 000003
【図２】
2009287169.tif 000004
【図３】
2009287169.tif 000005
【図４】
2009287169.tif 000006
【図５】
2009287169.tif 000007
【図６】
2009287169.tif 000008
【図７】
2009287169.tif 000009